(57)【要約】      （修正有）【課題】解答者がテーブルと参考手順を参考に次の正解を見つけ、テーブル中の関連セルで不要な数値の抹消を記録することによって次々に正解を見つけることが可能になっているナンプレ解答手引き付き印刷物を提供する。【解決手段】紙面の左上にナンプレ問題を、左下にテーブルを、問題及びテーブルの右側に参考手順を示す表を、参考手順を示す表の右側下部に解答をそれぞれ配置してなるナンプレ解答手引き付き印刷物であって、テーブルは、問題の各セルの正解候補値を格納する３×３のサブセルを９×９有する縦横２７×２７のテーブルであり、参考手順を示す表は、問題を解答する順に、次の正解のセル位置と、正解の数字などを記入するための空欄からなる備考欄と、を記載した表である。【選択図】図１
0003215717.tif 000002
【実用新案登録請求の範囲】
【請求項１】
ナンプレ８１のセルごとに３×３（１〜９）の数値が入る（縦横２７×２７）のサブセルテーブルをエクセルに用意する。図１にあるルールより、空白セルは同じ数字２つ入らないそれぞれ延べ２０の関連セルがあり、関連セル中の数値は正解にならず、残る数字を正解候補値としてサブセルに表示する。各セルの正解候補値が関連セル中で１つなった正解を問題にセット、関連セル中の正解にならない不要な正解候補値を消去すると、サブセルに残る数値が１つになり空白セルの正解が見つかるプログラムになる。（基本プロ）
【請求項２】
基本プロでは、問題の大半が解答途中サブセルに残る正解が１つにならず処理は中断する。中断した時点のサブセルに残る正解候補値を１つずつセルの仮正解値にして基本プロを繰り返すと、１つの仮正解値で解ける。（解答プロ）
【請求項３】
解答プロで解けた問題の正解順にエクセル上に正解セルの位置と正解欄を空白にした参考手順を作り、問題、問題のサブセル、解答結果を手引書として印刷する。解答者はサブセルと参考手順などを参考に次の正解を見つけ、手引書に正解とサブセル中の関連セルで不要な数値の抹消を記録すると次々に正解が見つかる手引書になる。（手引書）
【請求項４】
手引書による解答作業をエクセル画面上で進めるため、入力テーブルに正解を定め、正解テーブルにセル位置と正解値の表示、サブセルの不要数値の抹消などマクロで自動化すると１正解ごとに解答が進む。合せて、誤正解の訂正、画面上の問題ファイルから別問題の呼び出し同時処理、保存処理など機能を付加したプログラムとした。（パソコン解答処理）
【考案の詳細な説明】
【図面の簡単な説明】
【図１】ルールと解答解説図
【図２】解答手引書
【図３】パソコン解答処理画面図
【考案の詳細な説明】
ナンプレのルールはシンプルですが正解を探すには集中力を必要とし、一気に進めないと解答できないことから時間をかけられる解答方法を考案した。
正解が定まっていない各空白セルは、同じ数字が２つ入らない横方向、縦方向、及び太線で囲む９セル延べ２０の関連セルがあり、空白セルは関連セルにある数値を除く残る正解候補値の中に正解がある。問題の各セルに正解候補値を格納する３×３の計９のサブセルテーブルを縦横２７×２７のテーブルをエクセルファイル上に設定。各セルの正解候補値を自動的に表示させる。関連セルとの関係から正解候補値が１つになった正解をマクロで抽出、正解を問題に加え関連セルのサブセルから不要な正解候補値を消去するとサブセルに残る数値が１つになり、空白セルの正解が見つかるプログラムになる。（基本プロ）
基本プロでは、問題の大半が解答途中サブセルに残る正解が１つにならず処理は中断する。中断した時点のサブセルに残る正解候補値を１つずつセルの仮正解値にして基本プロを繰り返すと、１つの仮正解値で解ける。（解答プロ）
解答プロで解けた問題の正解順にセル位置と正解欄を空白にした参考手順を作り、問題、問題のサブセル、解答結果を印刷し手引書とする。サブセルと参考手順などを参考に次の正解を見つけ手引書に正解とサブセル中の関連セルで不要な数値の抹消を記録すると、次々に正解が見つかる手引書となる。（解答手引書）
また、この解答作業をエクセル画面上で進めるため、入力テーブルに正解を定め、正解テーブルにセル位置と正解を順に表示、サブセルの不要な数値の抹消などをマクロで自動化すると、１正解ごとに解答が進められる。誤正解の訂正、解答中のファイルから別問題を呼出し同時処理と保存処理など機能を付加したプログラムとした。（パソコン解答処理）
【図１】
0003215717.tif 000003
【図２】
0003215717.tif 000004
【図３】
0003215717.tif 000005
【手続補正書】
【提出日】平成28年12月2日(2016.12.2)
【手続補正１】
【補正対象書類名】実用新案登録請求の範囲
【補正対象項目名】全文
【補正方法】変更
【補正の内容】
【実用新案登録請求の範囲】
【請求項１】
ナンプレ問題は、解答途中にルールで正解が見つからなくなり、解答者の感覚で仮の正解値を選定、何度も解答作業を繰り返す内に解答が完成する。完成の糸口となった最初の正解値を先の問題に加え、ヒント数を１つ増すことで残るすべての正解値がルールにより解答する問題の作成処理
【手続補正書】
【提出日】平成29年1月31日(2017.1.31)
【手続補正１】
【補正対象書類名】実用新案登録請求の範囲
【補正対象項目名】全文
【補正方法】変更
【補正の内容】
【実用新案登録請求の範囲】
【請求項１】
ナンプレ問題は、解答途中にルールで正解値が見つからなくなり解答者の感覚で仮の正解値を選定し何度も解答作業を繰り返す内に解答が完成することから、完成の糸口になった正解値を見つけ先の問題のヒントに加えるとすべての正解値がルールにより見つかり解答する問題の作成処理。
【手続補正書】
【提出日】平成29年5月2日(2017.5.2)
【手続補正１】
【補正対象書類名】実用新案登録請求の範囲
【補正対象項目名】全文
【補正方法】変更
【補正の内容】
【実用新案登録請求の範囲】
【請求項１】
ナンプレは紙面に示された問題の空白枠（セル）へルールよりセルに残る正解候補値から記憶やメモにより正解値を探し埋めるパズルで、正解候補値が見えるように問題とその８１のセル毎に３×３のサブセルをエクセルシート上に設定、残る正解候補値を表示させれば解答状況が分かり易くなり問題の空白セルに正解値を追加するとそのセルと関連するセルで正解にならないサブセル上の正解候補値が消えるよう問題とサブセルを連動させてサブセルで正解値を探し続けるとその途中に新正解値が見つからなくなるため、その時残っている正解候補値を仮正解値にして問題に加えＶＢＡプログラムで正解値探しを繰り返す内、残る正解値が連続して全て見つかり解答する仮正解値を「解答の入口」として予め求めておき紙面上の問題とサブセルで解答を再解、途中正解値が見つからなくなった時問題に「解答の入口」を加えれば解答できる。
【手続補正書】
【提出日】平成29年6月28日(2017.6.28)
【手続補正１】
【補正対象書類名】実用新案登録請求の範囲
【補正対象項目名】全文
【補正方法】変更
【補正の内容】
【実用新案登録請求の範囲】
【請求項１】
ナンプレは紙面上の縦横９×９の枠（セル）にあるヒントの配置から空白セルの正解値を探し埋めるパズルで、問題のセルにあるヒント（正解値）は、正解値にならない２０の関連セルから数値（正解候補値）を消去し残る正解候補値を表示した問題の８１セルに縦横３×３のサブセルを紙面に用意し、正解値を見つけたセルの関連セルのサブセルにある正解候補値を消去すると、サブセルに残る正解候補値の配置から新たな正解値が見つかり、サブセルの不要な正解候補値の消去処理を繰り返す途中に次の新たな正解値が見つからなくなるため、別途、サブセルに残る正解候補値を仮正解値にしてエクセルのＶＢＡプログラムで次の新たな正解値を探し不要な正解候補値の消去を繰り返すとある仮正解値で残る空白セルの全ての正解値が連続して見つかる仮正解値を求めておき、先の解答途中の問題に正解値として加え紙面上の関連セルのサブセルから正解候補値を消去すると、次の正解値が見つかりサブセルから不要な正解候補値の消去を繰り返すと、残る正解値が見つかる解答手引きになるサブセル。
【手続補正書】
【提出日】平成29年9月5日(2017.9.5)
【手続補正１】
【補正対象書類名】実用新案登録請求の範囲
【補正対象項目名】全文
【補正方法】変更
【補正の内容】
【実用新案登録請求の範囲】
【請求項１】
ナンプレは紙面上の縦横９×９の問題桝内にあるヒントの配置から残る空白桝の正解値を探すパズルで、問題の各桝はそれが属する縦横の並びの８桝と問題の太線で囲まれた８桝、計２０桝（「関連桝」という）には同数が入らないのがルールで、空白桝の正解値を探すため問題の８１桝に３×３の桝を設け数字１〜９を記した「正解選定桝」を問題桝の下部に併記した正解選定表を作り、まず、問題桝にヒントを記載、その正解選定９桝をヒントの正解値に置き換えその関連桝でヒントと同数を抹消すれば、正解選定桝中には１つ以上の正解候補値が残り１つの場合は正解値、縦と横の並びの９桝と問題の太線に囲まれた９桝３ブロック毎の正解選定桝間で複数の正解候補値の中に１つになった数値はその桝の正解値となり正解選定９桝を正解値に置き換え、関連桝で正解値と同数を抹消すると正解選定表に新たな正解が現れるが、問題では解答途中で一度正解が現れず解けなくなるため、その時正解選定桝中に残る正解候補値を１つずつ仮正解値にパソコン上で同様の解答処理を繰返すとある仮正解値で問題に残る全ての正解値が求まる正解値が現れるので別途準備しておき中断した問題の正解選定桝で正解に扱うと残る正解値が確認できる正解選定桝。
【手続補正書】
【提出日】平成29年11月7日(2017.11.7)
【手続補正１】
【補正対象書類名】実用新案登録請求の範囲
【補正対象項目名】全文
【補正方法】変更
【補正の内容】
【実用新案登録請求の範囲】
【請求項１】
ナンプレは紙面上の縦横９×９の問題セルに２５前後の数字が配置された問題に残る空白セルに入る数字を探すパズルで、問題の各セルは縦と横方向に並ぶセルおよび問題の太線で囲まれる各８セル計２０セル（「関連セル」という）には同じ数字は入らないルールから、問題８１セルのそれぞれに３×３のセルに数字１〜９を記した２７×２７のサブセル「正解選定セル」を問題セルの下に配置して同一紙面上に用意、問題に記載されたヒントの９つの正解選定セルはヒントの数字に置き換え、その関連セルの正解選定セルにある同数を抹消した解答テーブルは、正解未定の正解選定セル内に残る数字の中で縦や横の並びおよび太線で囲まれるグループの正解選定セル中に１つの数字または正解選定セル中に１つになった数字は問題セルの正解になり問題セルに格納、その正解選定セルの９セルを正解に置き換え、関連セルの同数を抹消してゆくと正解選定セルに残る数字（正解候補値）が減ってゆき正解が絞られてくるため次々に正解を見つけることが可能になり、解答が確実に進められることを特徴とするナンプレ解答手引きとなる印刷物。
【手続補正書】
【提出日】平成30年1月19日(2018.1.19)
【手続補正１】
【補正対象書類名】実用新案登録請求の範囲
【補正対象項目名】全文
【補正方法】変更
【補正の内容】
【実用新案登録請求の範囲】
【請求項１】
紙面の左上にナンプレ問題を、左下にテーブルを、前記問題及び前記テーブルの右側に参考手順を示す表を、前記参考手順を示す表の右側下部に解答をそれぞれ配置してなるナンプレ解答手引き付き印刷物であって、
前記テーブルは、前記問題の各セルの正解候補値を格納する３×３のサブセルを９×９有する縦横２７×２７のテーブルであり、
前記参考手順を示す表は、前記問題を解答する順に、次の正解のセル位置と、正解の数字などを記入するための空欄からなる備考欄と、を記載した表であり、
解答者が前記テーブルと前記参考手順を参考に次の正解を見つけ、前記テーブル中の関連セルで不要な数値の抹消を記録することによって次々に正解を見つけることが可能になっている
ことを特徴とするナンプレ解答手引き付き印刷物。